(57)【要約】【課題】別部品を設けることなく各熱交換器の間を流体が通過してしまうことを抑えることができる熱交換器を提供する。【解決手段】室内熱交換器２０は、第１室内熱交換器２０ａと第２室内熱交換器２０ｂとを備える。第１室内熱交換器２０ａは、複数の第１フィン２５ａを有する。第２室内熱交換器２０ｂは、端部が屈曲している複数の第２フィン２５ｂを有する。そして、第１室内熱交換器２０ａと第２室内熱交換器２０ｂとは、第１フィン２５ａが第２フィン２５ｂの屈曲部分Ｂに当接するように連結される。【選択図】        図３
2004156892.tif 000002
【特許請求の範囲】
【請求項１】
流体との間で熱交換を行う熱交換器（２０）であって、
複数の第１フィン（２５ａ）を有する第１熱交換部（２０ａ）と、
端部が屈曲している複数の第２フィン（２５ｂ）を有する第２熱交換部（２０ｂ）と、
を備え、
前記第１熱交換部（２０ａ）と前記第２熱交換部（２０ｂ）とは、前記第１フィン（２５ａ）が前記第２フィン（２５ｂ）の屈曲している部分（Ｂ）に当接するように連結される、
熱交換器（２０）。
【請求項２】
側面視において略逆Ｖ字型の断面形状を有しており、
前記第１フィン（２５ａ）と前記第２フィン（２５ｂ）とは略逆Ｖ字型の断面形状の頂上部分（Ｔ）を形成する、
請求項１に記載の熱交換器（２０）。
【請求項３】
請求項１又は２に記載の熱交換器（２０）と、
前記熱交換器（２０）に空気を通す送風装置（２１）と、
を備える空気調和機（１）の室内機（２）。
【発明の詳細な説明】
【０００１】
【発明の属する技術分野】
本発明は、熱交換器および空気調和機の室内機に関する。
【０００２】
【従来の技術】
熱交換器には、複数の熱交換部により構成され、各熱交換部が連結されて一つの熱交換器を形成するものがある。このような熱交換器においては、各熱交換部の間に隙間が生じて、この隙間を熱交換の対象である流体が通過してしまう恐れがある。そして、このような場合には熱交換の効率が低下してしまう。このため、このような複数の熱交換部が連結されることによって形成されている熱交換器では、各熱交換部の間を流体が通ることを防止するためのシールド部材が設けられることが多い。このシールド部材は、例えば、熱交換器に係止する係止部を有しており、熱交換器を構成するフィンにこの係止部が圧入されることにより、熱交換器に固定される（特許文献１参照）。このように、各熱交換部の間をシールド部材で塞ぐことにより、各熱交換部の間を流体が通過してしまうことを抑えることができる。
【０００３】
【特許文献１】
登録実用新案第２５３２３６０号公報
【０００４】
【発明が解決しようとする課題】
しかし、上記のようにシールド部材によって各熱交換部の間を流体が通過してしまうことを抑える場合は、シールド部材という別部品が必要となり、部品点数が増大してしまう。
本発明の課題は、別部品を設けることなく各熱交換部の間を流体が通過してしまうことを抑えることができる熱交換器及び空気調和機の室内機を提供することにある。
【０００５】
【課題を解決するための手段】
請求項１に記載の熱交換器は、第１熱交換部と第２熱交換部とを備える。第１熱交換部は、複数の第１フィンを有する。第２熱交換部は、端部が屈曲している複数の第２フィンを有する。そして、第１熱交換部と第２熱交換部とは、第１フィンが第２フィンの屈曲している部分に当接するように連結される。
【０００６】
この熱交換器では、第１フィンが第２フィンの屈曲している部分に当接するように、第１熱交換部と第２熱交換部とが連結される。従って、第１熱交換部と第２熱交換部とがお互いに十分に当接した状態となる。このため、この熱交換器では、各熱交換部の間を流体が通過してしまうことを抑えることができる。そして、このような状態は、屈曲した第２フィンの端部によって作り出されるため、各熱交換部の間を塞ぐための別部品は不要である。このように、この熱交換器では、別部品を設けることなく各熱交換部の間を流体が通過してしまうことを抑えることができる。
【０００７】
請求項２に記載の熱交換器は、請求項１に記載の熱交換器であって、側面視において略逆Ｖ字型の断面形状を有している。そして、この熱交換器では、第１フィンと第２フィンとは略逆Ｖ字型の断面形状の頂上部分を形成する。
一般に、熱交換器には、側面視において略逆Ｖ字型の断面形状を有するように、各熱交換部が連結されるものがある。この場合、２つの熱交換部によって略逆Ｖ字型の断面形状の頂上部分が形成されるが、この頂上部分に隙間が生じて流体が通過してしまう恐れがある。
【０００８】
しかし、この熱交換器では、第１フィンと第２フィンとが略逆Ｖ字型の断面形状の頂上部分を形成しており、第１フィンが第２フィンの屈曲している部分に当接するように、各熱交換部が連結される。このため、第１熱交換部と第２熱交換部とが互いに十分に当接した状態となる。これにより、この熱交換器では、別部品を設けることなく、略逆Ｖ字型の頂上部分を形成する各熱交換部の間を流体が通過してしまうことを抑えることができる。
【０００９】
請求項３に記載の空気調和機の室内機は、請求項１又は２に記載の熱交換器と、熱交換器に空気を通す送風装置とを備える。
一般に、空気調和機の室内機では、送風装置によって空気を熱交換器に通して熱交換を行わせるものがあるが、熱交換器が複数の熱交換部によって構成されている場合、各熱交換部の間を空気が通過してしまう恐れがある。
【００１０】
しかし、この空気調和機の室内機は、第１熱交換部と第２熱交換部とが第１フィンが第２フィンの屈曲している部分に当接するように連結されている熱交換器を備えている。このため、この空気調和機の室内機では、熱交換器の第１熱交換部と第２熱交換部とがお互いに十分に当接した状態となっている。このため、第１熱交換部と第２熱交換部との間を空気が通過することを抑えることができる。そして、このような状態は、屈曲した第２フィンの端部によって作り出されるため、各熱交換部の間を塞ぐための別部品は不要である。これにより、この空気調和機の室内機では、別部品を設けることなく各熱交換部の間を空気が通過してしまうことを抑えることができる。
【００１１】
【発明の実施の形態】
＜構成＞
〔空気調和機の外観〕
本発明の一実施形態が採用された空気調和機１の外観を図１に示す。
この空気調和機１は、室内の壁面などに取り付けられる室内機２と、室外に設置される室外機３とを備えている。
【００１２】
室内機２内には室内熱交換器２０が収納され、室外機３内には室外熱交換器が収納されており、各熱交換器が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００１３】
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられるファンモータ２２によって回転駆動される。室内機２の詳細な構成については後に説明する。
【００１４】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００１５】
〔室内機の構成〕
（室内機の全体構成）
室内機２は、図１に示すように、正面視に置いて横方向に長い室内機ケーシング２３を備えており、前述した室内熱交換器２０やクロスフローファン２１は、室内機２の室内機ケーシング２３内に収容されている。
【００１６】
（室内機ケーシング）
図３に室内機２の側面断面図を示す。
室内機ケーシング２３は、前面パネル２３ａと底フレーム２３ｂとにより構成されている。
前面パネル２３ａは、上面２３０、下面２３２、前面２３５及び側面２３６，２３７（図１参照）によって構成されている。上面２３０は、室内熱交換器２０の上方を覆っており、複数のスリット状の開口からなる吸込み口２３１が設けられている。下面２３２は、室内熱交換器２０及びクロスフローファン２１の下方を覆っており、室内機２の長手方向に沿う開口からなる吹出し口２３３が設けられている。また、吹出し口２３３には、室内へと吹出す空気が案内される水平フラップ２３４が設けられている。この水平フラップ２３４は、室内機２の長手方向に平行な軸を中心に回動自在に設けられている。水平フラップ２３４は、フラップモータ（図示せず）によって回動することにより、吹出し口２３３の開閉を行うことができる。前面２３５は、概ね平坦に形成されており、室内熱交換器２０の前方を覆っている。側面２３６、２３７は、図１に示すように、室内熱交換器２０の側方を覆っている。側面２３６，２３７には、左側面２３６と右側面２３７とがあり、左側面２３６は正面視において室内熱交換器２０の左側方、右側面は室内熱交換器２０の右側方に配置されている。
【００１７】
底フレーム２３ｂは、室内機２の背面を構成しており、室内熱交換器２０の後方を覆っている。
また、室内熱交換器２０の下方には、熱交換時に室内熱交換器の表面に発生する水滴を受け取るためのドレンパン２３８が設けられている。このドレンパン２３８には、受け取った水滴を外部に排出するためのドレンホース（図示せず）が取り付けられている。冷房運転時には、室内熱交換器２０は蒸発側熱交換器として作用するため、室内熱交換器２０と接触する空気中に含まれる水分が凝縮して水滴となって滴下する。ドレンパン２３８は、このような水滴を受け取ってドレンホースによって排水するように構成されている。
【００１８】
（室内熱交換器）
室内熱交換器２０は、クロスフローファン２１の前方、上方および後部上方を取り囲むように取り付けられている。室内熱交換器２０は、クロスフローファン２１の駆動により吸込み口２３１から吸い込まれた空気をクロスフローファン２１側に通過させ、伝熱管の内部を通過する冷媒との間で熱交換を行わせる。室内熱交換器２０は、側面視において概ね逆Ｖ字型の断面形状を有している。
【００１９】
室内熱交換器２０は、第１室内熱交換器２０ａ、第２室内熱交換器２０ｂ、第３室内熱交換器２０ｃ、第４室内熱交換器２０ｄの４つの部分に分割されており、各室内熱交換器２０ａ、２０ｂ、２０ｃ、２０ｄがそれぞれ連結されて構成されている。
各室内熱交換器２０ａ，２０ｂ，２０ｃ，２０ｄは、それぞれ水平方向に長い板状の形状を有している。各室内熱交換器２０ａ，２０ｂ，２０ｃ，２０ｄは、両側端で複数回折り返されてなる伝熱管２４ａ，２４ｂ，２４ｃ，２４ｄと、伝熱管２４ａ，２４ｂ，２４ｃ，２４ｄが挿通される複数のフィン２５ａ，２５ｂ，２５ｃ，２５ｄとから構成されている。以下、第１室内熱交換器２０ａを構成するフィンを第１フィン２５ａ、第２室内熱交換器２０ｂを構成するフィンを第２フィン２５ｂと呼ぶ。例として、第１室内熱交換器２０ａの構成を図３及び図４に基づいて説明する。なお、図４では、第１室内熱交換器２０ａを除く他の室内熱交換器２０ｂ，２０ｃ，２０ｄが省略されている。
【００２０】
第１室内熱交換器２０ａにおいて、伝熱管２４ａは、第１室内熱交換器２０ａの長手方向に平行に配置され、第１室内熱交換器２０ａの両側端においてＵ字型伝熱管２６ａによって折り返されている。Ｕ字型伝熱管２６ａは、第１室内熱交換器２０ａの両側面から第１室内熱交換器２０ａの長手方向へと突出している。第１フィン２５ａは、短冊状の薄肉の金属板である。第１室内熱交換器２０ａでは、複数の第１フィン２５ａとその両側の固定板２７ａとが微小な所定間隔を隔てて互いに平行に配列されており、複数の第１フィン２５ａと固定板２７ａとには、図３のように伝熱管２４ａが垂直に挿通されている。このように、短冊状の多数の第１フィン２５ａが水平方向に配列されることにより、第１室内熱交換器２０ａの水平方向に長い板状の形状が構成されている。また、第１フィン２５ａは薄肉の金属板であるため、第１室内熱交換器２０ａの長手方向に垂直な方向から見れば、多数の線状の第１フィン２５ａが所定間隔を隔てて積層した構成となっている。
【００２１】
第３室内熱交換器２０ｃ及び第４室内熱交換器２０ｄもこのような第１室内熱交換器２０ａと同様の構成である。なお、図３において、第１室内熱交換器２０ａの構成要素に対応する構成要素には、第１室内熱交換器２０ａの構成要素の数字の符号に各室内熱交換器２０ｂ，２０ｃ，２０ｄに対応するアルファベットを付して表している。
【００２２】
第２室内熱交換器２０ｂも第１室内熱交換器２０ａと略同様の構成であるが、第２室内熱交換器２０ｂでは第２フィン２５ｂの端部が屈曲している。詳しくは、図５に示すように、第２フィン２５ｂの端部の一方の角が略垂直に屈曲しており、互いに平行に配列された隣接する第２フィン２５ｂとの間を屈曲した屈曲部分Ｂが塞ぐ状態となっている。すなわち、第２室内熱交換器２０ｂの長手方向に垂直な方向から見れば、線状の第２フィン２５ｂの端部の間が屈曲部分Ｂの平面によって塞がれた状態となっている。
【００２３】
室内熱交換器２０は、このような各室内熱交換器２０ａ，２０ｂ，２０ｃ，２０ｄが連結されて一体となって構成されているため、クロスフローファン２１を囲むような構成を容易にとることができ、熱交換率の向上が図られている。各室内熱交換器２０ａ，２０ｂ，２０ｃ，２０ｄは、図３に示すように、室内熱交換器２０が略逆Ｖ字型の側面断面を有するように配置されている。
【００２４】
第１室内熱交換器２０ａは、上端が室内機２の前方へ向けて傾斜して配置されており、クロスフローファン２１の上方から後部上方を覆うように配置されている。第２室内熱交換器２０ｂは、上端が室内機２の後方へ向けて傾斜して第１室内熱交換器２０ａの前方に配置されている。第２室内熱交換器２０ｂの上端は、第１室内熱交換器２０ａの上端に当接している。第２室内熱交換器２０ｂは、クロスフローファン２１の上方を覆うように配置されている。このように第１室内熱交換器２０ａの上端と第２室内熱交換器２０ｂの上端とが互いに当接することにより、逆Ｖ字型の頂上部分Ｔが形成されている。すなわち、第１室内熱交換器２０ａを構成する第１フィン２５ａと第２室内熱交換器２０ｂを構成する第２フィン２５ｂとは、互いに当接しており逆Ｖ字型の頂上部分Ｔを構成している。逆Ｖ字型の頂上部分Ｔの拡大図を図６に示す。上述したように、第２室内熱交換器２０ｂを構成する第２フィン２５ｂの端部は屈曲しており、互いに平行に配列された隣接する第２フィン２５ｂとの間を屈曲部分Ｂが塞ぐ状態となっている（図５参照）。この屈曲部分Ｂが形成されている第２フィン２５ｂの端部は、第２室内熱交換器２０ｂの上端であり第１室内熱交換器２０ａと当接している部分である。そして、第１室内熱交換器２０ａを構成する第１フィン２５ａの上端の角が、第２フィン２５ｂの屈曲部分Ｂに当接している。このように、第１室内熱交換器２０ａと第２室内熱交換器２０ｂとは、第１フィン２５ａが第２フィン２５ｂの屈曲部分Ｂに当接するように連結されている。
【００２５】
第３室内熱交換器２０ｃは、第２室内熱交換器２０ｂの下方に配置されており、第３室内熱交換器２０ｃの上端は第２室内熱交換器２０ｂの下端に近接している。第３室内熱交換器２０ｃは、クロスフローファン２１の前方を覆うように配置されている。第４室内熱交換器２０ｄは、下端が室内機２の後方へ傾斜しており、第３室内熱交換器２０ｃの下方に配置されている。第４室内熱交換器２０ｄの上端は、第３室内熱交換器２０ｃの下端に近接している。
【００２６】
第１室内熱交換器２０ａ、第２室内熱交換器２０ｂ、第３室内熱交換器２０ｃ、第４室内熱交換器２０ｄは、それぞれ両側端（正面視における左右方向の端）に設けられた固定板が相互に固定されることにより、一体となって室内熱交換器２０を形成している。
このように、室内熱交換器２０は、各室内熱交換器２０ａ，２０ｂ，２０ｃ，２０ｄが連結されて一体となって構成されているため、略逆Ｖ字型に容易に構成されることができ、室内機２の小型化にも寄与している。
【００２７】
＜特徴＞
（１）
この空気調和機１の室内機２が備える室内熱交換器２０では、第１フィン２５ａと第２フィン２５ｂの屈曲部分Ｂとが互いに当接するように、第１室内熱交換器２０ａと第２室内熱交換器２０ｂとが連結されている。従って、この室内熱交換器２０では、第１室内熱交換器２０ａと第２室内熱交換器２０ｂとがお互いに十分に当接した状態で連結されている。このため、第１室内熱交換器２０ａと第２室内熱交換器２０ｂとの間を空気が通過することが防止されている。
【００２８】
そして、このような状態は、屈曲した第２フィン２５ｂの端部によって作り出されている。したがって、第１室内熱交換器２０ａと第２室内熱交換器２０ｂの間を塞ぐための別部品は不要となっている。
以上のように、この空気調和機１の室内機２では、別部品を設けることなく室内熱交換器２０の頂上部分の隙間を空気が通過してしまうことを防止することができる。
【００２９】
また、室内機２の組立時において別部品を取り付ける工程が省略されるので、室内機２の組立性が向上している。
（２）
第１室内熱交換器２０ａは、短冊状の多数の第１フィン２５ａが水平方向に並べられて構成されている。従って、第１室内熱交換器２０ａの長手方向に垂直な方向から見れば、多数の線状の第１フィン２５ａが所定間隔を隔てて積層した構成となっている。第２室内熱交換器２０ｂ、第３室内熱交換器２０ｃ及び第４室内熱交換器２０ｄについても同様である。このような第１室内熱交換器２０ａと第２室内熱交換器２０ｂとが連結される場合、第１フィン２５ａと第２フィン２５ｂとの板厚部分が互いに当接することになる。しかし、上述したように、第１フィン２５ａと第２フィン２５ｂとは薄肉の金属板であるため、板厚部分は非常に薄く、当接する部分の面積は非常に小さい。従来の空気調和機の室内機の熱交換器も上記の様な複数のフィンによって構成されるものが多い。従って、このような熱交換器を当接させて連結する場合、フィンが互いに当接する部分の面積が小さく、複数のフィンを十分に重ね合わせることは困難である。
【００３０】
しかし、この室内熱交換器２０では、第２室内熱交換器２０ｂを構成する第２フィン２５ｂの端部の一方の角が略垂直に屈曲しており、互いに平行に配列された隣接する第２フィン２５ｂとの間が屈曲部分Ｂによって塞がれた状態となっている。従って、第１室内熱交換器２０ａ及び第２室内熱交換器２０ｂの長手方向に垂直な方向から見れば、線状の第２フィン２５ｂの端部の間を屈曲部分Ｂの平面が塞いだ状態となっている。このため、複数の第１フィン２５ａが当接する部分の面積が大きくなっており、第１室内熱交換器ａと第２室内熱交換器２０ｂとを互いに十分に当接させることができる。これにより、別部品を設けることなく第１室内熱交換器ａと第２室内熱交換器２０ｂとを当接させるだけで、室内熱交換器２０の頂上部分Ｔに隙間が生じることを防ぎ、この部分を空気が通過することを十分に防止することができる。
【００３１】
（３）
第１室内熱交換器ａと第２室内熱交換器２０ｂとは．複数のフィン２５ａ，２５ｂによってそれぞれ構成されているが、この複数のフィン２５ａ，２５ｂの全ての端面が完全に揃っているわけではなく、多少の誤差が存在するのが通常である。
【００３２】
しかし、この室内熱交換器２０では、薄肉の金属板である第２フィン２５ｂの端部が屈曲されているため、この屈曲部分Ｂでは、ある程度の弾性が得られる。従って、複数のフィン２５ａ，２５ｂの端面に誤差が存在していても、この弾性のある屈曲部分Ｂに第１フィン２５ａが押し付けられることにより、複数のフィン２５ａ，２５ｂが十分に当接することができる。すなわち、各屈曲部分Ｂの弾性によって、第１フィン２５ａの端面の誤差分が吸収されるため、複数のフィン２５ａ，２５ｂが互いに十分に当接することができる。このため、第１室内熱交換器ａと第２室内熱交換器２０ｂとが十分に当接することが可能となっている。
【００３３】
（４）
上記の様な第１室内熱交換器ａと第２室内熱交換器２０ｂとが十分に当接することができるという効果は、端部が屈曲された第２フィン２５ｂによって生じている。このような第２フィン２５ｂは、従来から利用されている短冊形のフィンを折り曲げるだけで容易に形成される。従って、特殊形状に成形されたフィンを使用することなく、室内熱交換器２０を容易に形成することができる。
【００３４】
＜他の実施形態＞
（１）
上記の実施形態では、第２室内熱交換器２０ｂを構成する第２フィン２５ｂの端部が屈曲されているが、他の室内熱交換器２０ａ，２０ｃ，２０ｄを構成するフィン２５ａ，２５ｃ，２５ｄの端部が屈曲されていてもよい。この場合、逆Ｖ字型の頂上部分Ｔだけではなく、他の室内熱交換器の連結部分の隙間を塞いで空気の通過を防止することができる。
【００３５】
（２）
上記の実施形態では、第２室内熱交換器２０ｂを構成する第２フィン２５ｂの端部が屈曲されているが、複数の室内熱交換器のフィンが屈曲されていてもよい。
（３）
上記の実施形態では逆Ｖ字型になるように複数の熱交換器が連結された室内熱交換器２０に本発明が採用されているが、本発明は複数の熱交換器が連結された熱交換器に有効であり、逆Ｖ字型以外の形状にも適用可能である。
【００３６】
（４）
上記の実施形態では、空気調和機１の室内機２に収容される室内熱交換器２０に本発明が採用されているが、室外機３に収容される室外熱交換器３０に採用されてもよい。さらに、複数の熱交換器が連結される熱交換器であれば、空気調和機に利用される熱交換器に限らず、広く熱交換器全般に対して適用可能である。この場合、熱交換の対象は空気以外の流体であってもよい。
【００３７】
【発明の効果】
請求項１に記載の熱交換器では、第１フィンが第２フィンの屈曲している部分に当接するように、第１熱交換部と第２熱交換部とが連結される。従って、第１熱交換部と第２熱交換部とがお互いに十分に当接した状態となる。このため、この熱交換器では、各熱交換部の間を流体が通過してしまうことを抑えることができる。そして、このような状態は、屈曲した第２フィンの端部によって作り出されるため、各熱交換部の間を塞ぐための別部品は不要である。このように、この熱交換器では、別部品を設けることなく各熱交換部の間を流体が通過してしまうことを抑えることができる。
【００３８】
請求項２に記載の熱交換器では、第１フィンと第２フィンとが略逆Ｖ字型の断面形状の頂上部分を形成しており、第１フィンが第２フィンの屈曲している部分に当接するように、各熱交換部が連結される。このため、第１熱交換部と第２熱交換部とが互いに十分に当接した状態となる。これにより、この熱交換器では、別部品を設けることなく、略逆Ｖ字型の頂上部分を形成する各熱交換部の間を流体が通過してしまうことを抑えることができる。
【００３９】
請求項３に記載の空気調和機の室内機は、第１熱交換部と第２熱交換部とが第１フィンが第２フィンの屈曲している部分に当接するように連結されている熱交換器を備えている。このため、この空気調和機の室内機では、熱交換器の第１熱交換部と第２熱交換部とがお互いに十分に当接した状態となっている。このため、第１熱交換部と第２熱交換部との間を空気が通過することを抑えることができる。そして、このような状態は、屈曲した第２フィンの端部によって作り出されるため、各熱交換部の間を塞ぐための別部品は不要である。これにより、この空気調和機の室内機では、別部品を設けることなく各熱交換部の間を空気が通過してしまうことを抑えることができる。
【図面の簡単な説明】
【図１】本発明の一実施形態にかかる空気調和機の外観図。
【図２】空気調和機の冷媒回路の概略図。
【図３】空気調和機の室内機の側面断面図。
【図４】第１室内熱交換器の外観斜視図。
【図５】第２室内熱交換器を構成する第２フィンの屈曲部分を表す図。
【図６】室内熱交換器の頂上部分の拡大図。
【符号の説明】
１            空気調和機
２            室内機
２０          室内熱交換器（熱交換器）
２０ａ        第１室内熱交換器（第１熱交換部）
２０ｂ        第２室内熱交換器（第２熱交換部）
２１          クロスフローファン（送風装置）
２５ａ        第１フィン
２５ｂ        第２フィン
Ｔ            頂上部分
【図１】
2004156892.tif 000003
【図２】
2004156892.tif 000004
【図３】
2004156892.tif 000005
【図４】
2004156892.tif 000006
【図５】
2004156892.tif 000007
【図６】
2004156892.tif 000008